(57)【要約】【課題】複数のスピーカの設置位置の変更に応じて、最適な音響特性の処理を行うことが可能な音声出力装置、音声出力方法及びテレビジョン受信機を提供する。【解決手段】取り付け位置検出部４３２にて検出した複数のスピーカの設置位置に基づいて、第１パラメータ設定部４３４にて音像定位処理用の最適なパラメータを設定し、設定したパラメータに従って、音像定位処理部４３６にて音像定位処理を行う。距離検出部４３３で検出した複数のスピーカ間の距離に基づいて、第２パラメータ設定部４３５にてクロストークキャンセル処理用の最適なパラメータを設定し、設定したパラメータに従って、クロストークキャンセル処理部４３７にてクロストークキャンセル処理を行う。【選択図】図４
2014068078.tif 000002
【特許請求の範囲】
【請求項１】
入力された音声信号に基づいて音声を出力する複数のスピーカを位置変更可能に備える音声出力装置において、
前記複数のスピーカの位置を検出する検出手段と、
前記複数のスピーカによる音像を定位させるために前記音声信号を処理する定位処理手段と、
前記複数のスピーカによるクロストークがキャンセルされるように前記音声信号を処理するクロストークキャンセル処理手段と、
前記検出手段での検出結果に基づいて、前記定位処理手段及び前記クロストークキャンセル処理手段での処理を制御する制御手段と
を備えることを特徴とする音声出力装置。
【請求項２】
前記複数のスピーカの位置に応じて設定されており、前記定位処理手段及び前記クロストークキャンセル処理手段夫々での処理内容を特定するパラメータを記憶している記憶手段を備えており、
前記制御手段は、前記検出手段での検出結果に基づいて前記記憶手段から前記パラメータを読み出し、読み出したパラメータを前記定位処理手段及び前記クロストークキャンセル処理手段夫々へ出力するように構成してあることを特徴とする請求項１記載の音声出力装置。
【請求項３】
入力された音声信号に基づいて音声を出力する複数のスピーカを位置変更可能に備え、前記複数のスピーカによる音像を定位させるために前記音声信号を処理する定位処理手段と、前記複数のスピーカによるクロストークがキャンセルされるように前記音声信号を処理するクロストークキャンセル処理手段とを備える音声出力装置による音声出力方法であって、
前記複数のスピーカの位置を検出し、
検出した前記複数のスピーカの位置に基づいて、前記定位処理手段及び前記クロストークキャンセル処理手段での処理を制御する
ことを特徴とする音声出力方法。
【請求項４】
請求項１または２に記載の音声出力装置と、
テレビジョン放送の映像信号を受信する受信手段と、
該受信手段にて受信した映像信号に基づく映像を表示する表示手段と
を備えることを特徴とするテレビジョン受信機。
【発明の詳細な説明】
【技術分野】
【０００１】
本発明は、設置位置が変更可能な複数のスピーカを備える音声出力装置及びテレビジョン受信機、並びに、この音声出力装置による音声出力方法に関する。
【背景技術】
【０００２】
薄型で軽量なテレビジョン受信機の普及が進むにつれて、このような薄型テレビジョンは、従来のように特定のテレビ台に載置されるだけでなく、壁面など様々な場所への設置が可能になっている。よって、テレビジョン受信機の設置場所に応じて、付属するスピーカの位置を変更できることが好ましい。
【０００３】
複数のスピーカの配置位置を変更できるようにした薄型テレビジョンが開発されている（例えば特許文献１）。特許文献１の薄型テレビジョンでは、表示部を含む矩形状をなすテレビジョン本体に対して、元来その側面の上下に２つずつ設けられていた左右の４つのスピーカを、テレビジョン本体の左右位置または上下位置に自在に配置できる構成となっている。
【先行技術文献】
【特許文献】
【０００４】
【特許文献１】特開２００７−３１８３０１号公報
【発明の概要】
【発明が解決しようとする課題】
【０００５】
複数のスピーカの配置位置を変更した場合には、音像の位置が画面の中央からずれることが考えられる。例えば、複数のスピーカの全てをテレビジョン本体の上枠（上部）に設けた場合には、音像の位置が画面の中央位置から上方にずれるため、このずれを補償するための対策が必要となる。また、複数のスピーカの配置位置を変更した場合には、複数のスピーカ間の距離も変化するので、複数のスピーカ間の距離に応じたステレオ感の調整が必要である。
【０００６】
しかしながら、特許文献１では、複数のスピーカの配置位置を変更できる構成が示されているだけであり、そのスピーカの配置位置の変更に応じた上記のような対策がなされていないという問題がある。
【０００７】
本発明は斯かる事情に鑑みてなされたものであり、複数のスピーカの配置位置の変更に応じて、最適な音響特性の処理を行うことが可能な音声出力装置、音声出力方法及びテレビジョン受信機を提供することを目的とする。
【課題を解決するための手段】
【０００８】
本発明に係る音声出力装置は、入力された音声信号に基づいて音声を出力する複数のスピーカを位置変更可能に備える音声出力装置において、前記複数のスピーカの位置を検出する検出手段と、前記複数のスピーカによる音像を定位させるために前記音声信号を処理する定位処理手段と、前記複数のスピーカによるクロストークがキャンセルされるように前記音声信号を処理するクロストークキャンセル処理手段と、前記検出手段での検出結果に基づいて、前記定位処理手段及び前記クロストークキャンセル処理手段での処理を制御する制御手段とを備えることを特徴とする。
【０００９】
本発明の音声出力装置にあっては、複数のスピーカの位置を検出手段にて検出し、その検出手段での検出結果に基づいて、複数のスピーカによる音像を定位させるために音声信号を処理する定位処理手段、及び、複数のスピーカによるクロストークがキャンセルされるように前記音声信号を処理するクロストークキャンセル処理手段での処理を制御する。よって、複数のスピーカの位置に応じて適切な定位処理とクロストークキャンセル処理とを行うため、複数のスピーカが任意の位置に変更されても、その配置位置に応じた最適な音響特性の処理を行える。
【００１０】
本発明に係る音声出力装置は、前記複数のスピーカの位置に応じて設定されており、前記定位処理手段及び前記クロストークキャンセル処理手段夫々での処理内容を特定するパラメータを記憶している記憶手段を備えており、前記制御手段は、前記検出手段での検出結果に基づいて前記記憶手段から前記パラメータを読み出し、読み出したパラメータを前記定位処理手段及び前記クロストークキャンセル処理手段夫々へ出力するように構成してあることを特徴とする。
【００１１】
本発明の音声出力装置にあっては、複数のスピーカの位置に応じて設定されており、定位処理手段及びクロストークキャンセル処理手段夫々での処理内容を特定するパラメータを記憶手段に記憶しておき、検出手段での検出結果に基づいて、記憶しているパラメータを読み出して定位処理手段及びクロストークキャンセル処理手段夫々へ出力する。予めパラメータが設定されているので、定位処理手段及びクロストークキャンセル処理手段にて簡便に最適な処理を行える。
【００１２】
本発明に係る音声出力方法は、入力された音声信号に基づいて音声を出力する複数のスピーカを位置変更可能に備え、前記複数のスピーカによる音像を定位させるために前記音声信号を処理する定位処理手段と、前記複数のスピーカによるクロストークがキャンセルされるように前記音声信号を処理するクロストークキャンセル処理手段とを備える音声出力装置による音声出力方法であって、前記複数のスピーカの位置を検出し、検出した前記複数のスピーカの位置に基づいて、前記定位処理手段及び前記クロストークキャンセル処理手段での処理を制御することを特徴とする。
【００１３】
本発明の音声出力方法にあっては、複数のスピーカの位置の検出結果に基づいて、定位処理手段及びクロストークキャンセル処理手段での処理を制御する。よって、複数のスピーカの位置に応じて適切な定位処理とクロストークキャンセル処理とを行うため、複数のスピーカが任意の位置に変更されても、その配置位置に応じた最適な音響特性の処理を行える。
【００１４】
本発明に係るテレビジョン受信機は、上記の音声出力装置と、テレビジョン放送の映像信号を受信する受信手段と、該受信手段にて受信した映像信号に基づく映像を表示する表示手段とを備えることを特徴とする。
【００１５】
本発明に係るテレビジョン受信機にあっては、複数のスピーカの位置を変更しても、その変更に応じた適切な定位処理とクロストークキャンセル処理とが行われる。
【発明の効果】
【００１６】
本発明によれば、複数のスピーカの位置に応じた適切な定位処理とクロストークキャンセル処理とを行うようにしたので、複数のスピーカが何れの位置にあっても最適な音響特性の処理を行うことができる。また、このような最適な音響特性の処理は装置側で自動的になされるので、ユーザによる調整または切替え作業を不要とすることができる。
【図面の簡単な説明】
【００１７】
【図１】テレビジョン受信機の外観を示す正面図である。
【図２】テレビジョン受信機の回路構成を示すブロック図である。
【図３】スピーカ取り付け部の構成を示す模式図である。
【図４】音声処理部の構成を示すブロック図である。
【図５】スピーカ取り付け部が設けられる領域（スピーカが取り付けられる領域）を示す模式図である。
【図６】２個のスピーカの取り付けパターンを示す模式図である。
【図７】２個のスピーカの取り付けパターンを示す模式図である。
【図８】２個のスピーカの取り付けパターンを示す模式図である。
【図９】音像定位処理で使用されるパラメータを示す図表である。
【図１０】音像定位処理でのパラメータの算出を説明するための模式図である。
【図１１】音像定位処理の効果を示すスピーカの出力特性グラフである。
【図１２】クロストークキャンセル処理で使用されるパラメータを示す図表である。
【図１３】クロストークキャンセル処理でのパラメータの算出を説明するための模式図である。
【図１４】音声信号に対する処理内容の動作手順を示すフローチャートである。
【発明を実施するための形態】
【００１８】
以下、本発明をその実施の形態を示す図面を参照して具体的に説明する。以下では、本発明の音声出力装置をテレビジョン受信機に適用した例について説明する。
【００１９】
図１は、テレビジョン受信機（以下、単にＴＶとも言う）１の外観を示す正面図である。テレビジョン受信機１は、映像を表示する矩形状の表示面を有する表示部１１と、表示面を取り囲んで支持する枠体１２と、枠体１２の外縁に取り付けられる複数のスピーカ２とを備えている。これらの複数のスピーカ２は、テレビジョン受信機１の枠体１２の４辺の外縁への任意の取り付けが可能である。つまり、テレビジョン受信機１に対して、上下左右に自在に複数のスピーカ２を取り付けることができる構成である。
【００２０】
図２は、テレビジョン受信機１の回路構成を示すブロック図である。テレビジョン受信機１は、入力部３と、信号処理部４と、映像出力部５と、音声出力部６とを備える。
【００２１】
入力部３は、外部から入力信号（映像信号／音声信号）を入力するためのものであり、チューナ３１、ＬＡＮ（Local Area Network）３２、ＵＳＢ（Universal Serial Bus）３３、ＨＤＭＩ（High-Definition Multimedia Interface）３４、アナログ源３５などが含まれる。
【００２２】
信号処理部４は、映像音声処理部４１と、映像処理部４２と、音声処理部４３と、アンプ部４４と、制御部４５とを有する。映像音声処理部４１は、入力部３を介して入力された入力信号を映像信号と音声信号とに分離し、分離した映像信号を映像処理部４２へ出力し、分離した音声信号を音声処理部４３へ出力する。映像処理部４２は、入力された映像信号に、ホワイトバランス処理、ガンマ処理などの処理を施し、処理後の表示用の映像信号を映像出力部５内の表示部１１に出力する。表示部１１は、映像信号に基づいた映像を表示する。
【００２３】
音声処理部４３は、入力された音声信号に、後述する複数のスピーカ２の位置に応じた音像定位処理、クロストークキャンセル処理などの処理を施し、処理後の音声信号をアンプ部４４に出力する。アンプ部４４は、入力された音声信号を増幅し、増幅後の音声信号を、音声出力部６内のスピーカ取り付け部６１を介してスピーカ２へ出力する。スピーカ２は、音声信号に基づいた音声を発する。
【００２４】
制御部４５は、映像音声処理部４１、映像処理部４２、音声処理部４３、アンプ部４４、表示部１１などの動作を制御する。
【００２５】
スピーカ取り付け部６１は、テレビジョン受信機１の枠体１２の複数箇所にわたって設けられており、スピーカ２が取り付けられた場合に、その取り付けを検出し、検出結果を音声処理部４３へ取り付け検出信号として出力する。図３は、スピーカ取り付け部６１の構成を示す模式図である。スピーカ取り付け部６１は、コネクタ６１１を有しており、コネクタ６１１にスピーカ２が取り付けられると、接続信号がＬｏｗからＨｉｇｈに切り換わって、スピーカ２の取り付けを検出するような構成をなしている。なお、図３に示したスピーカ取り付け部６１の構成は一例であり、スピーカ２の取り付けを検出できるものであれば、他の構成であってもよい。
【００２６】
次に、本発明の特徴部分に該当する音声処理部４３について説明する。図４は、音声処理部４３の構成を示すブロック図である。音声処理部４３は、補正処理部４３１と、取り付け位置検出部４３２と、距離検出部４３３と、第１パラメータ設定部４３４と、第２パラメータ設定部４３５と、音像定位処理部４３６と、クロストークキャンセル処理部４３７と、パラメータ記憶部４３８とを有する。パラメータ記憶部４３８は、音像定位処理部４３６で実行される音像定位処理及びクロストークキャンセル処理部４３７で実行されるクロストークキャンセル処理の内容を特定するためのパラメータを記憶している。
【００２７】
取り付け位置検出部４３２は、スピーカ取り付け部６１からの取り付け検出信号に基づいて、複数のスピーカ２の取り付け位置を検出し、検出結果を第１パラメータ設定部４３４へ出力する。第１パラメータ設定部４３４は、入力された検出結果に基づいて、音像定位処理における適切なパラメータをパラメータ記憶部４３８から読み出し、読み出したパラメータを音像定位処理部４３６へ出力する。
【００２８】
一方、距離検出部４３３は、スピーカ取り付け部６１からの取り付け検出信号に基づいて、複数のスピーカ２間の距離を検出し、検出結果を第２パラメータ設定部４３５へ出力する。第２パラメータ設定部４３５は、入力された検出結果に基づいて、クロストークキャンセル処理における適切なパラメータをパラメータ記憶部４３８から読み出し、読み出したパラメータをクロストークキャンセル処理部４３７へ出力する。
【００２９】
補正処理部４３１は、入力された音声信号に対して周波数成分を補正する処理を行い、処理後の音声信号を音像定位処理部４３６へ出力する。音像定位処理部４３６は、補正処理部４３１からの音声信号に、第１パラメータ設定部４３４にて設定されたパラメータに従って、複数のスピーカ２による音像を定位させるための音像定位処理を行い、処理後の音声信号をクロストークキャンセル処理部４３７へ出力する。
【００３０】
クロストークキャンセル処理部４３７は、音像定位処理部４３６からの音声信号に、第２パラメータ設定部４３５にて設定されたパラメータに従って、複数のスピーカ２によるクロストークがキャンセルされるようなクロストークキャンセル処理を行い、処理後の音声信号をアンプ部４４へ出力する。アンプ部４４は、前述したように、増幅処理を行った後に、音声信号をスピーカ２へ出力する。
【００３１】
次に、本発明の具体例についてより詳細に説明する。なお、以下の例では、２個のスピーカを使用する場合について説明する。
【００３２】
図５は、スピーカ取り付け部６１が設けられる領域（スピーカ２が取り付けられる領域）を示す模式図である。図５に示すように、テレビジョン受信機１の枠体１２は１４個の領域に分画されている。この１４個の領域は、具体的には、上部の４個の領域（エリア１〜エリア４）と、向かって右側の３個の領域（エリア５〜エリア７）と、下部の４個の領域（エリア８〜エリア１１）と、向かって左側の３個の領域（エリア１２〜エリア１４）にて構成される。
【００３３】
図６Ａ−Ｃ、図７Ａ−Ｃ及び図８は、２個のスピーカ２，２の取り付けパターンを示す模式図である。図６Ａに示す例では、ＴＶ上部に近接させてスピーカ２，２を取り付けており（エリア２とエリア３）、図６Ｂに示す例では、ＴＶ上部に離隔させてスピーカ２，２を取り付けており（エリア１とエリア４）、図６Ｃに示す例では、ＴＶ両側部の上方にスピーカ２，２を取り付けており（エリア５とエリア１４）、図７Ａに示す例では、ＴＶ両側部の下方にスピーカ２，２を取り付けており（エリア７とエリア１２）、図７Ｂに示す例では、ＴＶ下部に近接させてスピーカ２，２を取り付けており（エリア９とエリア１０）、図７Ｃに示す例では、ＴＶ下部に離隔させてスピーカ２，２を取り付けており（エリア８とエリア１１）、図８に示す例では、ＴＶ両側部の中央にスピーカ２，２を取り付けている（エリア６とエリア１３）。
【００３４】
図９は、音像定位処理で使用されるパラメータを示す図表であり、取り付け位置（場所と具体的なエリア番号）と設定すべきパラメータ内容（音像の上げまたは下げ）とが、５種類のパターン別に対応付けられている。パラメータ記憶部４３８に記憶されているこれらのパラメータの中から１つのパラメータが、検出されたスピーカ２，２の取り付け位置に応じて、第１パラメータ設定部４３４にて設定されて、音像定位処理部４３６へ出力される。
【００３５】
ここで、音像定位処理でのパラメータについて説明する。図１０は、音像定位処理でのパラメータの算出を説明するための模式図である。
【００３６】
上下の音像定位についてのパラメータに関して、図１０Ａ，Ｂに示すように、視聴位置にダミーヘッドを設置して、画面の上下方向中央に設けたスピーカ２と角度θ１，θ２だけ上方（または角度θ１′，θ２′だけ下方）にずらせて設けたスピーカ２のインパルス応答を測定して、補正パラメータを算出する。なお、測定の際にダミーヘッドを使用するのは、人体各部での音波の屈折及び反射を考慮するためである。
【００３７】
ＴＶ上部（またはＴＶ下部）にスピーカ２，２を設ける場合と、ＴＶ両側部の上方（またはＴＶ両側部の下方）にスピーカ２，２を設ける場合とでは、ＴＶ中央線からの距離が異なるので、音像を下げる（または上げる）量も異ならせる必要があるので、音像定位処理でのパラメータも区別している。すなわち、前者の場合には音像下げ量（または音像上げ量）を大きくし、後者の場合には音像下げ量（または音像上げ量）を小さくしている（図９参照）。また、ＴＶ両側部の中央にスピーカ２，２を設ける場合には、音像定位を変更する必要がないので、スルーのパラメータを設定している（図９参照）。
【００３８】
図１１は、音像定位処理の効果を示すスピーカの出力特性グラフである。図１１Ａは、ＴＶ上部（またはＴＶ下部）に設けられたスピーカの出力特性を表しており、図１１Ｂは、ＴＶ側面部の中央に設けられたスピーカの出力特性を表している。ここで、インパル応答を用いた補正パラメータにより、ＴＶ上部（またはＴＶ下部）に設けられたスピーカの出力特性を補正し、さらに位相特性も補正することにより、図１１Ｃに破線で示されているように、ＴＶ上部（またはＴＶ下部）に設けられたスピーカの音像をＴＶ側面部の中央に設けられたスピーカの音像に定位させることができる。
【００３９】
図１２は、クロストークキャンセル処理で使用されるパラメータを示す図表であり、取り付け位置（場所と具体的なエリア番号）と設定すべきパラメータ内容（ステレオ感）とが、３種類のパターン別に対応付けられている。パラメータ記憶部４３８に記憶されているこれらのパラメータの中から１つのパラメータが、検出されたスピーカ２，２の取り付け位置に応じて、第２パラメータ設定部４３５にて設定されて、クロストークキャンセル処理部４３７へ出力される。
【００４０】
クロストークキャンセル処理でのパラメータについて説明する。図１３は、クロストークキャンセル処理でのパラメータの算出を説明するための模式図である。
【００４１】
左右の音源（スピーカ）の位置に関して、スピーカ２，２から視聴者の両耳に入る音の時間差（位相差）及び音量差にて判別している。図１３Ａに示すように、左右のスピーカ２，２の距離が十分離れている場合には、両耳に入る音の距離の差ａは大きく、両耳に入る音の時間差（位相差）及び音量差が十分であるためステレオ感が得られる。これに対して、図１３Ｂ，Ｃに示すように、左右のスピーカ２，２の距離が近い場合には、両耳に入る音の距離の差ｂ，ｃは小さく（ｃ＜ｂ＜ａ）、両耳で十分な時間差（位相差）及び音量差がないので、ステレオ感が得られない。
【００４２】
そこで、左（または右）のスピーカ２から右耳（または左耳）に入る音に対して、右（または左）のスピーカ２から右耳（または左耳）に入る音をキャンセリングする音を付加させるクロストークキャンセル処理を行って、両耳で大きな時間差（位相差）及び音量差を生じさせてステレオ感を得る。ここで、両耳に入る音の距離の差が小さいほど、キャンセルレベルを大きくする必要がある。
【００４３】
具体的に、クロストークキャンセルのパラメータは、左（または右）のスピーカ２から出力される信号の位相を反転させた信号に対して、左（または右）のスピーカ２から右耳（または左耳）までの距離と、右（または左）のスピーカ２から右耳（または左耳）までの距離との差から、時間遅延量とレベル減衰量とを算出する。
【００４４】
以上のことから、クロストークキャンセル処理についてのパラメータでは、ＴＶ両側部にスピーカ２，２を設ける場合には、左右のスピーカ２，２が十分な距離だけ離隔しているので、ステレオ感の補正効果が小さいパラメータを設定する（図１２参照）。一方、ＴＶ上部（またはＴＶ下部）にスピーカ２，２を近接して設ける場合には、左右のスピーカ２，２間の距離が短いので、ステレオ感の補正効果が大きいパラメータを設定する（図１２参照）。また、ＴＶ上部（またはＴＶ下部）にスピーカ２，２を離隔して設ける場合には、ある程度のステレオ感が得られるため、ステレオ感の補正効果が中程度であるパラメータを設定する（図１２参照）。
【００４５】
次に、本発明における音声信号に対する処理内容について説明する。図１４は、音声信号に対する処理内容の動作手順を示すフローチャートである。
【００４６】
取り付け位置検出部４３２は、スピーカ取り付け部６１からの取り付け検出信号に基づいて、２個のスピーカ２，２の取り付け位置を検出し、検出結果を第１パラメータ設定部４３４へ出力する（ステップＳ１）。第１パラメータ設定部４３４は、入力された検出結果に基づいて、スピーカ２，２がＴＶ両側部に取り付けられているか否かを判断する（ステップＳ２）。
【００４７】
ＴＶ両側部に取り付けられている場合（Ｓ２：ＹＥＳ）、第１パラメータ設定部４３４は、スピーカ２，２がＴＶ両側部の上方に取り付けられているか否かを判断する（ステップＳ３）。ＴＶ両側部の上方（エリア５とエリア１４）に取り付けられている場合（Ｓ３：ＹＥＳ）、第１パラメータ設定部４３４は、音像を小さく下げるパラメータを設定して音像定位処理部４３６へ出力する（ステップＳ４）。音像定位処理部４３６は、この設定パラメータに従って、音声信号に音像定位処理を行う（ステップＳ５）。
【００４８】
ＴＶ両側部の上方に取り付けられていない場合（Ｓ３：ＮＯ）、第１パラメータ設定部４３４は、スピーカ２，２がＴＶ両側部の下方に取り付けられているか否かを判断する（ステップＳ６）。ＴＶ両側部の下方（エリア７とエリア１２）に取り付けられている場合（Ｓ６：ＹＥＳ）、第１パラメータ設定部４３４は、音像を小さく上げるパラメータを設定して音像定位処理部４３６へ出力する（ステップＳ７）。音像定位処理部４３６は、この設定パラメータに従って、音声信号に音像定位処理を行う（Ｓ５）。
【００４９】
ＴＶ両側部の下方に取り付けられていない場合（Ｓ６：ＮＯ）、つまりＴＶ両側部の中央（エリア６とエリア１３）に取り付けられている場合、第１パラメータ設定部４３４は、スルーのパラメータを設定して音像定位処理部４３６へ出力する（ステップＳ８）。音像定位処理部４３６は、この設定パラメータに従って、音声信号に音像定位処理を行う（Ｓ５）。
【００５０】
音像定位処理が行われた（Ｓ５）後、第２パラメータ設定部４３５は、ステレオ感の補正が小さいパラメータ、言い換えるとクロストークキャンセル量が小さいパラメータを設定してクロストークキャンセル処理部４３７へ出力する（ステップＳ９）。クロストークキャンセル処理部４３７は、この設定パラメータに従って、音声信号にクロストークキャンセル処理を行う（Ｓ１０）。
【００５１】
一方、ＴＶ両側部に取り付けられていない場合（Ｓ２：ＮＯ）、第１パラメータ設定部４３４は、スピーカ２，２がＴＶ上部に取り付けられているか否かを判断する（ステップＳ１１）。ＴＶ上部（エリア１とエリア４またはエリア２とエリア３）に取り付けられている場合（Ｓ１１：ＹＥＳ）、第１パラメータ設定部４３４は、音像を大きく下げるパラメータを設定して音像定位処理部４３６へ出力する（ステップＳ１２）。音像定位処理部４３６は、この設定パラメータに従って、音声信号に音像定位処理を行う（ステップＳ１３）。
【００５２】
ＴＶ上部に取り付けられていない場合（Ｓ１１：ＮＯ）、つまりＴＶ下部（エリア８とエリア１１またはエリア９とエリア１０）に取り付けられている場合、第１パラメータ設定部４３４は、音像を大きく上げるパラメータを設定して音像定位処理部４３６へ出力する（ステップＳ１４）。音像定位処理部４３６は、この設定パラメータに従って、音声信号に音像定位処理を行う（Ｓ１３）。
【００５３】
音像定位処理が行われた（Ｓ１３）後、第２パラメータ設定部４３５は、距離検出部４３３からの検出結果に基づいて、２つのスピーカ２，２が近接しているか否かを判断する（ステップＳ１５）。近接している場合（Ｓ１５：ＹＥＳ）、つまりＴＶ上部またはＴＶ下部に近接して（エリア２とエリア３またはエリア９とエリア１０）取り付けられている場合、第２パラメータ設定部４３５は、ステレオ感の補正が大きいパラメータ、言い換えるとクロストークキャンセル量が大きいパラメータを設定してクロストークキャンセル処理部４３７へ出力する（ステップＳ１６）。クロストークキャンセル処理部４３７は、この設定パラメータに従って、音声信号にクロストークキャンセル処理を行う（Ｓ１０）。
【００５４】
スピーカ２，２が近接していない場合（Ｓ１５：ＮＯ）、つまりＴＶ上部またはＴＶ下部に離隔して（エリア１とエリア４またはエリア８とエリア１１）取り付けられている場合、第２パラメータ設定部４３５は、ステレオ感の補正が中程度のパラメータ、言い換えるとクロストークキャンセル量が中程度のパラメータを設定してクロストークキャンセル処理部４３７へ出力する（ステップＳ１７）。クロストークキャンセル処理部４３７は、この設定パラメータに従って、音声信号にクロストークキャンセル処理を行う（Ｓ１０）。
【００５５】
本実施の形態では、上述したように、２個のスピーカの位置を検出し、その検出結果に基づいて、２個のスピーカによる音像を定位させるように音声信号を処理するとともに、最適なステレオ感が得られるように音声信号にクロストークキャンセル処理を施しているので、２個のスピーカの位置に応じて適切な音像定位処理とクロストークキャンセル処理とを行うため、複数のスピーカが任意の位置に変更されても、その配置位置に応じた最適な音響特性の処理を行うことができる。また、このような最適な音響特性の処理は装置側で自動的になされるので、ユーザによる調整または切替え作業を不要とすることができる。
【００５６】
なお、上述した実施の形態では、音像定位処理におけるパターンを５種類、クロストークキャンセル処理におけるパターンを３種類としたが、これらは一例であって、それらの種類数に限定されるものではない。
【００５７】
また、上述した実施の形態では、２個のスピーカを設ける場合に説明したが、これは一例であり、３個以上のスピーカを設ける場合にも本発明を適用することができる。
【００５８】
さらに、本発明は、その他、特許請求の範囲に記載した事項の範囲内において種々変更した形態にて実施することが可能であることは言うまでもない。
【符号の説明】
【００５９】
１  テレビジョン受信機
２  スピーカ
１１  表示部
４３  音声処理部
６１  スピーカ取り付け部
４３２  取り付け位置検出部
４３３  距離検出部
４３４  第１パラメータ設定部
４３５  第２パラメータ設定部
４３６  音像定位処理部
４３７  クロストークキャンセル処理部
４３８  パラメータ記憶部
【図１】
2014068078.tif 000003
【図２】
2014068078.tif 000004
【図３】
2014068078.tif 000005
【図４】
2014068078.tif 000006
【図５】
2014068078.tif 000007
【図６】
2014068078.tif 000008
【図７】
2014068078.tif 000009
【図８】
2014068078.tif 000010
【図９】
2014068078.tif 000011
【図１０】
2014068078.tif 000012
【図１１】
2014068078.tif 000013
【図１２】
2014068078.tif 000014
【図１３】
2014068078.tif 000015
【図１４】
2014068078.tif 000016